(57)【要約】【課題】外界振動がディスクに伝わりにくいのみでなく、軽量でありながらディスク貼付面の面積が比較的大きく、しかも加工上、ディスク貼付面がゆがみにくい、ディスクカートリッジ用センタコアを提供する。【解決手段】金属フレーム３１と、金属フレーム３１内に充填された制振性ゴム３２とによってセンタコア３０を構成する。【選択図】　　　　　図１
2004079028.tif 000002
【特許請求の範囲】
【請求項１】
ハウジング内に記録媒体としてのディスクを回転自在に収容したディスクカートリッジにおいて、ディスク貼付面を備えて前記ディスクの中心位置に固定されるセンタコアであって、
金属フレームと、該金属フレーム内に充填された制振材とからなることを特徴とするセンタコア。
【請求項２】
前記制振材が制振性ゴムからなることを特徴とする請求項１記載のセンタコア。
【請求項３】
前記制振性ゴムが前記金属フレームに接着されていることを特徴とする請求項２記載のセンタコア。
【請求項４】
前記制振性ゴムが前記金属フレームにインサート成形されていることを特徴とする請求項２記載のセンタコア。
【請求項５】
前記制振性ゴム内に空所が形成されていることを特徴とする請求項３または４記載のセンタコア。
【請求項６】
前記制振材が、前記ディスクと同系の材料で形成され、かつ該制振材の表面に前記ディスクが熱融着により貼付されることを特徴とする請求項１記載のセンタコア。
【発明の詳細な説明】
【０００１】
【発明の属する技術分野】
本発明は、ハウジング内に記録媒体としてのディスクを回転自在に収容したディスクカートリッジにおいて、ディスク貼付面を備えて上記ディスクの中心位置に固定されるセンタコアの構造に関するものである。
【０００２】
【従来の技術】
従来より、デジタルカメラ等のモバイル機器においては、記録媒体として例えば「ｃｌｉｋ！（登録商標）」と呼ばれる超小型の磁気ディスクカートリッジが使用されている。
【０００３】
この磁気ディスクカートリッジ１は、図６（ａ）〜（ｃ）にその平面図、右側面図および底面図を示すように、押込み部２ａを含む樹脂製のフレーム２と、金属薄板からなる上下シェル３，４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【０００４】
この磁気ディスクカートリッジ１は、幅５３ｍｍ、奥行き８５ｍｍ、厚さ５ｍｍの寸法を有するＴＹＰＥＩＩ　ＰＣカード型のドライブ装置が備えているスロットに挿入態様で装填されるように構成され、このドライブ装置は、磁気ディスク５のセンタコア１０を磁気吸着するスピンドルを備えたスピンドルモータと、回転する磁気ディスク５の表面にアクセスして情報の記録再生を行なう磁気ヘッドとが設けられている。
【０００５】
磁気ディスクカートリッジ１のハウジングには、ドライブ装置が備えている磁気ヘッドを磁気ディスク５の表面にアクセスさせるためのＶ字状の開口６が形成され、この開口６は、ばね部材により閉方向に付勢されたロータリーシャッタ７により開閉される。このロータリーシャッタ７は、ハウジング内に設けられているシャッタロック部材１１によって図６（ａ），（ｃ）に示す閉位置にロックされている。
【０００６】
また、ハウジングの左側面先端部には、ドライブ装置内の係合部材に係合させて、ドライブ装置内での位置決めを確実にするためのノッチ８が形成され、右側面先端部には、シャッタロック部材１１を外部に臨ませる小窓９が形成されている。シャッタロック部材１１は、ドライブ装置への磁気ディスクカートリッジ１の挿入時にドライブ装置内のロック解除部材により押圧されてロータリーシャッタ７のロックを解除するように構成されている。
【０００７】
ハウジングの下シェル４には、磁気ディスク５のセンタコア１０にドライブ装置の回転スピンドルを結合させるための円形の開口４ａと、ロータリーシャッタ７と同心的な円弧状溝４ｂとが形成され、ロータリーシャッタ７には、上記円弧状溝４ｂから突出しかつこの円弧状溝４ｂに沿って移動してロータリーシャッタ７を開閉するシャッタノブ７ｂが固設されている。
【０００８】
図７（ａ）〜（ｃ）は、センタコア１０の平面図、側面図および断面図をそれぞれ示し、センタコア１０は鉄系金属素材の切削加工により形成され、中心孔１０ａと、平坦なディスク貼付面１０ｂとを備えている。
【０００９】
また従来より、パーソナルコンピュータの記録媒体として３．５インチ（８９ｍｍ）のフロッピー（登録商標）ディスクを備えた磁気ディスクカートリッジ（図示は省略）が広く使用されているが、そのセンタコア２０は、図８（ａ）〜（ｃ）にその平面図、側面図および断面図をそれぞれ示すように、鉄系金属薄板のプレス加工（絞り加工）により形成され、中心孔２０ａと、フランジ状のディスク貼付面２０ｂとを備えている。
【００１０】
【発明が解決しようとする課題】
ところで、上述した２種類のセンタコア１０，２０のうち、図７に示すｃｌｉｋ！（登録商標）用のセンタコア１０は、ディスク貼付面１０ｂの面積が比較的大きく、かつディスク貼付面１０ｂの加工上でのゆがみが生じにくいという長所を有するものの、質量が大きいために回転負荷も大きくなり、かつ外界振動対策がとられていないために、外界振動がディスクに伝わってエラーを生じやすいという欠点があった。
【００１１】
一方、図８に示すフロッピー（登録商標）ディスク用のセンタコア２０は、質量が小さいから回転負荷も小さいという長所はあるものの、ディスク貼付面２０ｂの面積が比較的小さく、かつディスク貼付面２０ｂの加工上でのゆがみが生じやすいという問題を有しており、さらに図７に示すセンタコア１０と同様に、外界振動対策がとられていないという欠点があった。
【００１２】
このような事情に鑑み、本発明は、上述した従来のセンタコアが有する欠点をすべて克服した、小型ディスクカートリッジ用センタコアを提供することを目的とするものである。
【００１３】
【課題を解決するための手段】
本発明は、ハウジング内に記録媒体としてのディスクを回転自在に収容したディスクカートリッジにおいて、ディスク貼付面を備えてディスクの中心位置に固定されるセンタコアであって、
上記センタコアが、金属フレームと、この金属フレーム内に充填された制振材とからなることを特徴とするものである。
【００１４】
上記制振材は制振性ゴムからなることが好ましい。制振性ゴムは金属フレームに対し接着またはインサート成形によって充填することができる。また、上記制振性ゴムの内部には空所が形成されていることが好ましい。
【００１５】
さらに、上記制振材は、上記ディスクと同系の材料（例えばポリエステル系樹脂）で形成されていてもよい。その場合、ディスクが制振材の表面に熱融着により貼付されることが好ましい。
【００１６】
【発明の効果】
本発明によれば、回転ディスクのセンタコアが、金属フレームと、この金属フレーム内に充填された制振材とから形成されているため、外界振動がディスクに伝わりにくいという特性を有するのみでなく、軽量でありながらディスク貼付面の面積が比較的大きく、しかも加工上、ディスク貼付面がゆがみにくいという理想的なセンタコアを提供することができる。
【００１７】
また、上記制振材としてディスクと同系の材料を用い、この制振材の表面にディスクが熱融着により貼付される場合、環境の温度変化に対してディスクと制振材とが一様に膨張、収縮するから、ディスクがゆがみにくいという利点がある。
【００１８】
【発明の実施の形態】
以下、本発明をｃｌｉｋ！（登録商標）のセンタコアに適用した場合の実施の形態について、図面を参照して詳細に説明する。
【００１９】
図１は本発明の第１の実施の形態を図７（ｃ）に対応させて示す断面図である。
【００２０】
このセンタコア３０は、金属フレーム３１と、このフレーム３１内に充填された制振性ゴム３２とから構成され、中心孔３０ａとディスク貼付面３０ｂとを備えている。ディスク貼付面３０ｂは制振性ゴム３２の表面に形成される。上記フレーム３１の材質は、ドライブ装置のスピンドルとの結合を考慮すると、鉄等の磁性金属が好ましい。また、上記制振性ゴム３２は、例えば三進興産（株）から市販されている「ソルボ（登録商標）」等が好適である。この制振性ゴム３２は、接着剤または両面テープを用いた接着により金属フレーム３１に充填することができる。
【００２１】
図２（ａ）〜（ｃ）は、センタコア３０の周縁部におけるフレーム３１と制振性ゴム３２の外周部の構成を示す拡大断面図である。図２（ａ）〜（ｃ）のいずれにおいても、フレーム３１の端面３１ｂが、ディスク貼付面３０ｂから距離ｈだけ低い位置にあり、フレーム３１がディスクに接触しないように配慮されている。なお、後述する第２の実施の形態のように、制振性ゴム３２をインサート成形によりフレーム３１内に充填する場合には、アンダーカットができないことによる金型構造の簡略化の点から、図２（ａ）または（ｃ）に示す構成が好ましい。
【００２２】
本実施の形態によれば、センタコア３０が金属フレーム３１と、金属フレーム３１内に充填された制振性ゴム３２とによって構成されているため、外界振動がディスクに伝わりにくいという特性を有するのみでなく、軽量でありながらディスク貼付面３０ｂの面積が比較的大きく、しかも加工上、ディスク貼付面３０ｂがゆがみにくいという利点を有する。
【００２３】
図３は、本発明の第２の実施の形態を図１に対応させて示す断面図である。
【００２４】
このセンタコア３０も、図１と同様に、金属フレーム３１と、このフレーム３１内に充填された制振性ゴム３２とから構成され、中心孔３０ａとディスク貼付面３０ｂとを備えているが、本実施の形態においては、制振性ゴム３２が、接着でなくインサート成形によってフレーム３１内に充填されていることに特徴があり、フレーム３１には抜止め３１ａが形成されている。
【００２５】
この抜止め３１ａは、図４（ａ）に示すように、センタコア３０と同心的に連続しているものでもよいし、複数箇所で寸断されているものでもよい。あるいは、図４（ｂ）に示すようなブロックを複数配置したものでもよい。
【００２６】
本実施の形態も、上述した第１の実施の形態と同様の効果を有する。
【００２７】
次の図５は、本発明の第３の実施の形態を図１に対応させて示す断面図である。
【００２８】
本実施の形態は、図１の構成に加えて、制振性ゴム３２の内部に空所３３を設けて、さらに軽量化と材料の節約を図ったものである。
【００２９】
さらに、図示は省略するが、本発明の第４の実施の形態は、フレーム３１内に充填される制振材として、制振性ゴム３２に代えて、記録媒体としてのディスクと同系材料（ポリエステル樹脂系）を用いており、この制振材の表面に上記ディスクが熱融着された構成を有する。本実施の形態の場合、上述した実施の形態と同様の利点を備えていることに加えて、環境の温度変化に対し、ディスクと制振材とが一様に膨張、収縮するから、ディスクがゆがみにくいという利点がある。
【００３０】
なお、上述の実施の形態は、すべて本発明をｃｌｉｋ！（登録商標）のセンタコアに適用した場合であるが、他の形式のディスクカートリッジのセンタコアにも適用可能である。
【図面の簡単な説明】
【図１】本発明によるセンタコアの第１の実施の形態を示す断面図
【図２】センタコアの周縁部における金属フレームと制振性ゴムの外周部の構成を示す拡大断面図
【図３】本発明によるセンタコアの第２の実施の形態を示す断面図
【図４】図３の抜止めの構成を示す斜視図
【図５】本発明によるセンタコアの第３の実施の形態を示す断面図
【図６】図６（ａ）〜（ｃ）は、従来のディスクカートリッジの一例構成を示す平面図、右側面図および背面図
【図７】図７（ａ）〜（ｃ）は、従来のディスクカートリッジのセンタコアを示す平面図、側面図および断面図
【図８】図８（ａ）〜（ｃ）は、従来の別のディスクカートリッジのセンタコアを示す平面図、側面図および断面図
【符号の説明】
１　　磁気ディスクカートリッジ
５　　磁気ディスク
１０，２０，３０　　センタコア
１０ｂ、２０ｂ、３０ｂ　　ディスク貼付面
３１　　金属フレーム
３１ａ　　抜止め
３２　　制振性ゴム
３３　　空所
【図１】
2004079028.tif 000003
【図２】
2004079028.tif 000004
【図３】
2004079028.tif 000005
【図４】
2004079028.tif 000006
【図５】
2004079028.tif 000007
【図６】
2004079028.tif 000008
【図７】
2004079028.tif 000009
【図８】
2004079028.tif 000010